(57)【特許請求の範囲】
【請求項１】
遊技盤と、遊技盤の裏面に取り付けられた取付台と、取付台に設けられた台回路基板と、台回路基板に実装された台コネクタと、電気部品の実装された筐回路基板を収納した回路筐体と、回路筐体の前面の一側部に設けられた筐係合部と、回路筐体の前面の他側部に設けられた筐固定部と、筐回路基板に実装された筐コネクタと、取付台の裏面の一側部に設けられた台係合部、取付台の裏面の他側部に設けられた台固定部と、筐コネクタに対応して回路筐体の前面に形成された筐接続孔とを備え、回路筐体の前面を取付台の裏面に向かい合わせて筐係合部と台係合部とが係合され、回路筐体が筐係合部と台係合部との係合を中心として取付台の裏面に向かう方向に回転されるのに伴い、筐コネクタと台コネクタとが互いに接続され、筐固定部が台固定部の裏側から前側に押し込まれるように押圧されることで台固定部に結合されることを特徴とする遊技機の回路筐体取付装置。
【請求項２】
台係合部が、取付台の裏面と対向する対向面と、対向面と裏面とを繋ぐ連結部とを備え、筐係合部が、回路筐体の前面と平行な取付面と、取付面から回路筐体の裏面側に延長して取付面と鋭角をなす面により形成された回転規制面とを備え、筐係合部の回転規制面と台係合部の対向面とが互いに接触されて取付台の裏面と回路筐体の前面とのなす角が上記鋭角と同じ角度に設定されてから、回路筐体が筐係合部と台係合部との係合を中心として取付台の裏面に向かう方向に回転されるのに伴い、筐コネクタと台コネクタとが互いに接続され、筐固定部が台固定部の裏側から前側に押し込まれるように押圧されることで台固定部に結合され、回路筐体の前面と取付台の裏面とが互いに接触することで、筐係合部が台係合部の対向面を取付台の裏側方向に押圧した状態で取付台の裏面と台係合部の対向面との間に嵌合されたことを特徴とする請求項１に記載の遊技機の回路筐体取付装置。
【請求項３】
台回路基板が、台回路基板の前面と裏面とに貫通するように台回路基板に設けられた貫通孔を備え、取付台が、取付台の前面と裏面とに貫通するように取付台に設けられた台接続孔と、取付台の前面より前方に突出した支柱と、支柱の前端に取り付けられる押え板を備え、台回路基板が取付台の前面側に配置されて、支柱が台回路基板の貫通孔を貫通して、台回路基板の台コネクタが台接続孔を経由して取付台の裏側に突出し、押え板が貫通孔を貫通した支柱の前端に取り付けられることによって、台コネクタが台接続孔より取付台の裏側に突出した状態で、台回路基板が支柱の中心線に沿った方向及び支柱の中心線と直交する方向に移動可能に取り付けられたことを特徴とする請求項１又は請求項２に記載の遊技機の回路筐体取付装置。
【発明の詳細な説明】
【技術分野】
【０００１】
本発明は、取付台に対する回路筐体の取付作業の容易な遊技機の回路筐体取付装置に関する。
【背景技術】
【０００２】
遊技機の回路筐体取付装置は、表示ユニット及び制御基板を収納した回路筐体を遊技盤の裏面に取り付けられた案内樋パネルや集合樋のような取付台に止ねじで取り付ける構成である。しかしながら、回路筐体を取付台に取り付ける際には、作業者が回路筐体を取付位置に保持しながらドライバーのような工具を用いて止ねじを締結しなければならず、取付台に対する回路筐体の取付作業が容易ではないという欠点がある。
【特許文献１】特許第３４６２２３３号公報
【特許文献２】特開平７−１６３３９号公報
【発明の開示】
【発明が解決しようとする課題】
【０００３】
発明が解決しようとする問題点は、取付台に対する回路筐体の取付作業が容易ではないという点である。
【課題を解決するための手段】
【０００４】
本発明に係る遊技機の回路筐体取付装置は、遊技盤と、遊技盤の裏面に取り付けられた取付台と、取付台に設けられた台回路基板と、台回路基板に実装された台コネクタと、電気部品の実装された筐回路基板を収納した回路筐体と、回路筐体の前面の一側部に設けられた筐係合部と、回路筐体の前面の他側部に設けられた筐固定部と、筐回路基板に実装された筐コネクタと、取付台の裏面の一側部に設けられた台係合部、取付台の裏面の他側部に設けられた台固定部と、筐コネクタに対応して回路筐体の前面に形成された筐接続孔とを備え、回路筐体の前面を取付台の裏面に向かい合わせて筐係合部と台係合部とが係合され、回路筐体が筐係合部と台係合部との係合を中心として取付台の裏面に向かう方向に回転されるのに伴い、筐コネクタと台コネクタとが互いに接続され、筐固定部が台固定部の裏側から前側に押し込まれるように押圧されることで台固定部に結合されることを特徴とする。台係合部が、取付台の裏面と対向する対向面と、対向面と裏面とを繋ぐ連結部とを備え、筐係合部が、回路筐体の前面と平行な取付面と、取付面から回路筐体の裏面側に延長して取付面と鋭角をなす面により形成された回転規制面とを備え、筐係合部の回転規制面と台係合部の対向面とが互いに接触されて取付台の裏面と回路筐体の前面とのなす角が上記鋭角と同じ角度に設定されてから、回路筐体が筐係合部と台係合部との係合を中心として取付台の裏面に向かう方向に回転されるのに伴い、筐コネクタと台コネクタとが互いに接続され、筐固定部が台固定部の裏側から前側に押し込まれるように押圧されることで台固定部に結合され、回路筐体の前面と取付台の裏面とが互いに接触することで、筐係合部が台係合部の対向面を取付台の裏側方向に押圧した状態で取付台の裏面と台係合部の対向面との間に嵌合されたことや、台回路基板が、台回路基板の前面と裏面とに貫通するように台回路基板に設けられた貫通孔を備え、取付台が、取付台の前面と裏面とに貫通するように取付台に設けられた台接続孔と、取付台の前面より前方に突出した支柱と、支柱の前端に取り付けられる押え板を備え、台回路基板が取付台の前面側に配置されて、支柱が台回路基板の貫通孔を貫通して、台回路基板の台コネクタが台接続孔を経由して取付台の裏側に突出し、押え板が貫通孔を貫通した支柱の前端に取り付けられることによって、台コネクタが台接続孔より取付台の裏側に突出した状態で、台回路基板が支柱の中心線に沿った方向及び支柱の中心線と直交する方向に移動可能に取り付けられたことも特徴とする。
【発明の効果】
【０００５】
本発明に係る遊技機の回路筐体取付装置によれば、回路筐体の筐係合部と取付台の台係合部との係合構造、係合を中心とした回路筐体の回転構造、筐コネクタと台コネクタとの接続構造、筐固定部と台固定部との結合構造による簡単な構成によって、回路筐体の取付台の裏面への取付け作業が容易となる。筐係合部の回転規制面と台係合部の対向面とが互いに接触されて取付台の裏面と回路筐体の前面とのなす角が上記鋭角と同じ角度に設定されてから、回路筐体が取付台の裏面へ取付けられる構成としたので、筐係合部の台係合部への挿入作業を容易にでき、かつ、筐係合部が台係合部の対向面を取付台の裏側方向に押圧した状態で取付台の裏面と台係合部の対向面との間に嵌合される構成としたので、回路筐体を取付台の裏面にがたつきなく取り付けることがきる。回路筐体の取り外しの際には、回転規制面が台係合部の対向面の内面と衝突することによって、取付面と取付台の裏面とのなす角度が９０度以上にならないように規制されるので、回路筐体の取り外しの際の回路筐体の不意な脱落を防止できる。台回路基板が支柱の中心線に沿った方向及び支柱の中心線と直交する方向に移動可能に取り付けられたので、コネクタ同士による接続作業の際の位置合わせを容易とできるとともに、筐コネクタ及び台コネクタへの応力集中を防止でき、筐コネクタ及び台コネクタの損傷、接触不良などを防止できる。
【発明を実施するための最良の形態】
【０００６】
図１乃至図１１は、遊技機としてのパチンコ機の回路筐体取付装置の最良の形態を示す。図１は、回路筐体取付装置１を示す。図２は、球案内体（取付台）４５への演出回路筐体（回路筐体）５１の取付方法を示す。図３は、演出回路筐体５１の外観を示す。図４は、球案内体４５の裏面に設けられた台係合部８７及び台固定部８８の配置を示す。図５は、演出回路筐体５１及び演出回路筐体５１内に収納される部品を分解して示す。図６は、筐固定部８６及び台固定部８８の構造を示す。図７は、電飾集合中継基板７２（台回路基板）の球案内体４５への取付構造を示す。図８は、制御系統を示す。図９は、パチンコ機の遊技機枠１Ａと遊技盤４０とを分離して示す。図１０は、遊技盤４０の裏面に取り付けられる部品を分解して示す。図１１は、球案内体４５に取り付けられる部品を分解して示す。この明細書において、「前」、「後」、「裏」、「左」、「右」、「上」、「下」の方向は、図９の状態に遊技機枠１Ａおよび遊技盤４０を置いて矢印Ａで示す前側から見た場合に特定される方向である。「後」と「裏」とは同じ方向である。
【０００７】
図９を参照し、回路筐体取付装置１を備えたパチンコ機における遊技機枠１Ａと遊技盤４０との構造について説明する。遊技機枠１Ａは、固定枠２の前側に可動枠３を左側のヒンジ４で横方向に片開き可能に取り付け、可動枠３の前側に扉５および球皿構造体６を左側のヒンジ７で横方向に片開き可能に取り付けた構造である。固定枠２は、パチンコ店の図外の島と呼ばれる遊技機設置構造体に取り付けるための外枠とも呼ばれ、前後方向に貫通した縦長な長方形の空間を囲む額縁形状である。可動枠３は、遊技盤４０を取り付ける前枠とも呼ばれ、前後方向に貫通した縦長な長方形の空間を囲む額縁形状の可動枠本体８から盤収納構造体９を内部に延設する。可動枠本体８の右縦片部には、施錠装置１０と複数のロック機構１１；１２；１３およびロック解除操作体１４が設けられる。盤収納構造体９は、遊技盤４０を装着する前側に開口した盤収納室１５の背壁１６に前後方向に貫通する中央開口部１７を備える。背壁１６の左側部には、盤押圧体１８および盤受ストッパ１９が設けられる。背壁１６の右側部には、盤ロック機構２０が設けられる。盤ロック機構２０は、背壁１６から前側に突出する円筒状の台座の中心にロック操作体２１を回転可能に備える。ロック操作体２１は、台座から前側に突出した操作軸の端部に固定された横長な形態である。盤収納室１５の下縁部は、遊技盤４０を搭載する左右方向に平坦な面としての盤棚２２を形成する。盤棚２２から下方に延設された盤収納構造体９における前壁２３の前面には、球発射機構２４、球発射レール２５、ファール球取入口２６、払出球中継樋２７が設けられる。球発射レール２５は、球皿構造体６の球供給口３４から供給された１個の球を受け取る。球発射機構２４は、電力の供給と遮断とを交互に受けることによって、球皿部３１から球発射レール２５に供給された球を盤収納室１５に取り付けられた遊技盤４０の遊技領域４１（図１０参照）に向けて１個ずつ発射する。球発射レール２５は、球発射機構２４から発射された球を、遊技盤４０における球発射通路４４（図１０参照）の入口に誘導する。払出球中継樋２７は、可動枠３の裏側に設けられた図外の球払出装置から払い出された球を球皿構造体６の球取入口３３に排出する。前壁２３の裏面には機外排出樋２８が設けられる。機外排出樋２８は、遊技盤４０の裏側から排出された球を受け取って島と呼ばれる遊技機設置構造体における捕球機構に排出する。扉５は、パネル枠とも呼ばれ、前後方向に貫通する窓２９を囲む額縁形状である。扉５の裏面には、前面パネル３０が窓２９を覆うように扉５の裏側から取り付けられる。前面パネル３０は、ガラスまたは合成樹脂などの材料からなる光を透過する性質の有る板状である。球皿構造体６の前面には、球皿部３１および発射操作機構３２が設けられる。球皿部３１は、遊技に使用するパチンコ球と呼ばれる球を受ける容器であって、球を収容する部分を上方に開口した上方から下方に窪む窪みとして有する。発射操作機構３２は、遊技者が球を発射するために操作するものである。球皿構造体６の裏面には、球取入口３３および球供給口３４が設けられる。球取入口３３は、払出球中継樋２７から排出された球を球皿部３１に供給する部分である。球供給口３４は、球皿部３１から球発射機構２４に球を供給する部分である。遊技機枠１Ａの裏面には、電源装置２００、発射払出制御装置２０１、図外の球払出機構などが取り付けられる。
【０００８】
遊技機枠１Ａでは、可動枠３や扉５および球皿構造体６が閉じられてロック機構１１乃至１３で開閉不能に支持された場合、遊技店の店員が図外のキープレート（鍵）を遊技機枠１Ａの前側から施錠装置１０の鍵穴３５に挿入し、当該キープレートを例えば右側に９０度回転操作すると、固定枠２と可動枠３とのロック機構１１による支持形態が解除される。この支持形態の解除後に、店員が可動枠３を前側に引くことによって、可動枠３はヒンジ４を回転中心として前側に片開きされる。また、上記施錠装置１０の鍵穴３５に挿入されたキープレートが例えば左側に９０度回転操作されると、可動枠３と扉５とのロック機構１２による支持形態が解除される。この支持形態の解除後に、店員が扉５を前側に引くことによって、扉５はヒンジ７を回転中心として前側に片開きされる。このように、扉５が前側に開かれた状態において、店員が可動枠３の前面に設けられたロック解除操作体１４を操作すると、可動枠３と球皿構造体６とのロック機構１３による支持形態が解除される。この支持形態の解除後に、店員が球皿構造体６を前側に引くことによって、球皿構造体６はヒンジ７を回転中心として前側に片開きされる。
【０００９】
図１０に示すように、遊技盤４０の前面４０ａには、内ガイドレール３５ａと外ガイドレール３５ｂとからなるガイドレールが設けられ、ガイドレールで囲まれた内側の遊技領域４１には、始動入賞部品３６、一般入賞部品３７、可変入賞部品３８、飾り部品３９、サイドランプ４２、遊技釘４３ａ、風車４３ｂ、アウト口４３ｃを備える。飾り部品３９は、センター飾りとも呼ばれる。内ガイドレール３５ａの左側部と外ガイドレール３５ｂの右側部との間に形成された隙間は、球発射通路４４である。球発射通路４４は、球発射機構２４から発射された球を遊技領域４１に誘導する。遊技盤４０の右側部には、盤側取付部４４ａが、上下に位置して設けられる。盤側取付部４４ａは、ロック挿入孔４４ｂを個別に備える。
【００１０】
遊技盤４０の裏面４０ｂには、球案内体４５が取り付けられる。球案内体４５はセット板とも呼ばれる。球案内体４５には、演出制御ユニット５０、複数の電飾基板５５、複数の中継基板５６、主制御装置取付部材５７が取り付けられる。主制御装置取付部材５７には主制御中継基板５８、主制御装置５９が取り付けられる。演出制御ユニット５０は、演出回路筐体５１内に表示装置５２と演出制御基板５３とが収納されて形成される。表示装置５２は、液晶表示パネルのような表示パネル４６と表示パネル４６を制御する表示パネル制御基板４７とにより構成される。主制御装置５９は、主回路筐体６０内に主制御基板６１が収納されて形成される。
【００１１】
球案内体４５は、板状の基盤６５と基盤６５の周縁部より前方に突出する隔壁６６とを備え、基盤６５と隔壁６６とにより前側から裏側に窪む凹部６７の形成された前側開口の箱形状である。基盤６５には、基盤６５の前面６８（球案内体４５の前面）と裏面６９（球案内体４５の裏面）とに貫通する表示孔７０が形成される。表示孔７０は、横に長い長方形形状であり、演出制御ユニット５０の演出回路筐体５１内の前側に配置される表示パネル４６を基盤６５の裏側から基盤６５の前側に臨ませる貫通孔である。演出制御ユニット５０の演出回路筐体５１の前側に配置された表示パネル４６の表示面７１が表示孔７０を経由して飾り部品３９に設けられた光を透過する性質の有る合成樹脂からなる保護パネル３９ａの裏側に配置される。表示パネル４６の表示面７１に表示された画像が遊技盤４０の前側から飾り部品３９の保護パネル３９ａを通して見えるように、演出制御ユニット５０が、球案内体４５の基盤６５の裏面６９に取り付けられる。
【００１２】
基盤６５の前面６８には複数の電飾基板５５が設けられる。複数の電飾基板５５は、電飾集合中継基板７２、センター下電飾基板７３、センター右電飾基板７４、左サイド電飾基板７５、右サイド電飾基板７６、始動電飾基板７７である。これら複数の電飾基板５５にはＬＥＤのような光源７８が実装される。この光源７８の光が、遊技盤４０の裏側から遊技盤４０に形成された図外の部品取付孔、この部品取付孔を介して遊技盤４０の前面４０ａに設けられた始動入賞部品３６、サイドランプ４２、飾り部品３９などの光透過性部品を経由して遊技盤４０の前側に透過し、これら光透過性部品を照明する。複数の電飾基板５５は、図外の止ねじにより基盤６５の前面６８に取り付けられる。即ち、電飾集合中継基板７２は、表示孔７０の左縁の横に位置する基盤６５の前面６８に取り付けられる。センター下電飾基板７３は、表示孔７０の下縁の下に位置する基盤６５の前面６８に取り付けられる。センター右電飾基板７４は、表示孔７０の右縁の右に位置する基盤６５の前面６８に取り付けられる。左サイド電飾基板７５は、基盤６５の前面６８における左下部に取り付けられる。右サイド電飾基板７６は、基盤６５の前面６８における右下部に取り付けられる。始動電飾基板７７は、基盤６５に形成された始動電飾基板中継孔７９の周縁部の周りにおける基盤６５の前面６８に取り付けられる。複数の電飾基板５５同士は、基盤６５の前面６８に設けられた配線により互いに接続される。即ち、電飾集合中継基板７２とセンター下電飾基板７３とが配線７３ａにより互いに接続される。電飾集合中継基板７２とセンター右電飾基板７４とが配線７４ａにより互いに接続される。電飾集合中継基板７２と左サイド電飾基板７５とが配線７５ａにより互いに接続される。センター右電飾基板７４と右サイド電飾基板７６とが配線７６ａにより互いに接続される。センター下電飾基板７３と始動電飾基板７７とが配線７７ａにより互いに接続される。つまり、複数の電飾基板５５同士が、球案内体４５の基盤６５の前面６８の側で配線７３ａ乃至７７ａにより互いに接続される。
【００１３】
基盤６５の裏面６９には、複数の中継基板５６が設けられる。複数の中継基板５６は、左中継基板８０、右中継基板８１、盤用外部中継基板（情報出力基板）８２である。図１１に示すように、複数の電飾基板５５は止ねじにより基盤６５の裏面６９に取り付けられる。即ち、左中継基板８０は表示孔７０の左縁に沿って設けられた左取付部６２に止ねじ８０ａで取り付けられる。右中継基板８１は表示孔７０の右縁に沿って設けられた右取付部６３に止ねじ８１ａで取り付けられる。盤用外部中継基板８２は、基盤６５の裏面６９の左上部に設けられた盤用取付部６４に止ねじ８２ａで取付けられる。
【００１４】
図１０に戻り、止ねじ８３が案内体４５の貫通孔８３ａを経由して遊技盤４０の裏面４０ｂに締結されることで、球案内体４５が遊技盤４０の裏面４０ｂに取り付けられる。主制御中継基板５８は主制御取付台５７の基板取付部５７ａに取り付けられる。主制御装置５９は、主制御取付台５７に設けられた図外の取付機構により主制御取付台５７に取り付けられ、主制御装置５９の主制御基板６１と主制御中継基板５８とが互いにコネクタ４８；４９により電気的に接続される。止ねじ８４が主制御取付台５７の取付足５７ｂに形成された貫通孔８４ａを経由して基盤６５の裏面６９に締結されて、主制御取付台５７が球案内体４５の基盤６５の裏面６９における下部に取り付けられる。演出回路筐体５１は、演出回路筐体５１に設けられた筐係合部８５及び筐固定部８６と裏面６９に設けられた台係合部８７及び台固定部８８とにより基盤６５の裏面６９に取り付けられるとともに演出制御基板５３に実装された筐コネクタ８９と電飾集合中継基板７２に実装された台コネクタ９０とが互いに電気的に接続される。
【００１５】
図１１に示すように、左中継基板８０と主制御中継基板５８（図１０参照）とが配線９１により互いに接続される。左中継基板８０と遊技領域４１の左側に設けられた一般入賞部品３７；３７の図外のそれぞれの球検出器とが配線９２；９３により互いに接続される。左中継基板８０と始動入賞部品３６の図外の始動ソレノイドとが配線９４により互いに接続される。右中継基板８１と主制御中継基板５８とが配線９５により互いに接続される。右中継基板８１と遊技領域４１の右側に設けられた一般入賞部品３７；３７の図外のそれぞれの球検出器とが配線９６；９７により互いに接続される。右中継基板８１と飾り部品３９に設けられる図外の主特別図柄表示器及び普通図柄表示器とが基盤６５に形成された配線孔７０ａを経由して配線９８により互いに接続される。左中継基板８０と盤用外部中継基板８２とが配線９９により互いに接続される。可変入賞部品３８の裏面に設けられた図外の可変中継基板と主制御中継基板５８とが図外の配線により互いに接続される。遊技機枠１Ａに設けられた図外のスピーカや賞球ランプや打止完了ランプと電飾集合中継基板７２の枠コネクタ１００とが基盤６５に形成された配線孔１０１を経由する図外の配線により互いに接続される。図９に示すように、主制御取付台５７に取り付けられた主制御装置５９の主制御基板６１と球案内体４５の基盤６５の裏面６９に取り付けられた演出制御ユニット５０の演出制御基板５３とが配線１０２により互いに接続される。配線１０２は、両端にコネクタを備え、一端のコネクタが演出制御基板５３に実装されたコネクタ５３ｙに接続され、他端のコネクタが主制御基板６１に実装されたコネクタ６１ｙに接続される。
【００１６】
前面４０ａおよび裏面４０ｂに図１０に示した部品を搭載した図９に示す遊技盤４０が、遊技機枠１Ａに次のように装着される。図９のように、扉５が可動枠３の前側に開けられた状態において、遊技盤４０の前面が前側に向けられ、遊技盤４０の裏側が遊技機枠１Ａの方向に向けられ、遊技盤４０が可動枠３の前側から盤収納室１５に挿入され、遊技盤４０の下部が盤棚２２の上に載せられ、遊技盤４０の左側部が盤押圧体１８と盤受ストッパ１９との間に挿入され、遊技盤４０の左側部が盤押圧体１８で前側に押されつつ盤押圧体１８と盤受ストッパ１９とで前後方向から挟まれた後、遊技盤４０の右側部が作業者によって後側に押されると、盤ロック機構２０のロック操作体２１が盤側取付部４４ａのロック挿入孔４４ｂに後側から挿入されて前側に突出する。その状態において、作業者がロック操作体２１を例えば左方向に９０度回転操作すると、ロック操作体２１がロック挿入孔４４ｂの周りにおける盤側取付部４４ａと係合し、遊技盤４０が可動枠３に取り付けられる。このように遊技盤４０が可動枠３に取り付けられた場合、遊技盤４０の裏面における球案内体４５と演出制御ユニット５０と主制御装置取付部材５７および主制御装置５９が、中央開口部１７を経由して盤収納構造体９より裏側に突出する。
【００１７】
図１を参照し、回路筐体取付装置１を説明する。回路筐体取付装置１は、遊技盤４０、取付台としての球案内体４５、台回路基板としての電飾集合中継基板７２、台コネクタ９０、回路筐体としての演出回路筐体５１、筐係合部８５、筐固定部８６、筐コネクタ８９、台係合部８７、台固定部８８、筐接続孔１１０、台接続孔１１１を備える。
【００１８】
球案内体４５は遊技盤４０の裏面４０ｂに取り付けられる。電飾集合中継基板７２は球案内体４５の基盤６５の前面６８に取り付けられる。台コネクタ９０は、電飾集合中継基板７２の裏面に実装され、基盤６５に形成された台接続孔１１１を経由して球案内体４５の裏側に突出する。筐コネクタ８９は、演出回路筐体５１内に収納された筐回路基板としての演出制御基板５３の前面５３ａに実装され、演出回路筐体５１の前面５１ａに形成された筐接続孔１１０を経由して演出回路筐体５１の前側に突出する。
【００１９】
図３；図５に示すように、演出回路筐体５１は、収納筐体１１２と蓋体１１３とで形成される。収納蓋体１１２内に、表示パネル４６、表示パネル制御基板４７、演出制御基板５３が設置された後に、収納筐体１１２の後方開口部１１４に蓋体１１３が取り付けられて収納筐体１１２が閉じられることで演出制御ユニット５０が構成される。表示パネル４６は収納筐体１１２の底側となる演出回路筐体５１の前面５１ａ側に設置され、表示パネル４６の裏側に表示パネル制御基板４７が設置され、表示パネル制御基板４７の裏側に演出制御基板５３が設置される。収納筐体１１２の底１１５における左側部には筐接続孔１１０が形成される。表示パネル４６は図外の取付部を備え、この取付部に形成された貫通孔と収納筐体１１２内に設けられた図外の取付基台に形成された取付孔とを一致させた状態で、図外の止ねじが貫通孔を経由して取付孔に締結されることによって、表示パネル４６が収納筐体１１２内に固定される。表示パネル制御基板４７は図外の貫通孔を備え、この貫通孔と収納筐体１１２内に設けられた支柱１１６に形成された取付孔１１７とを一致させた状態で、図外の止ねじが貫通孔を経由して取付孔１１７に締結されることによって、表示パネル制御基板４７が収納筐体１１２内に固定される。演出制御基板５３は図外の貫通孔を備え、筐コネクタ８９を筐接続孔１１０の裏側から筐接続孔１１０に通して筐接続孔１１０の前側に突出させるとともに貫通孔と収納筐体１１２内に設けられた支柱１１８に形成された取付孔１１９とを一致させた状態で、図外の止ねじが貫通孔を経由して取付孔１１９に締結されることによって、演出制御基板５３が収納筐体１１２内に固定される。演出制御基板５３の裏面には演出制御回路を形成する電気部品５３ｘが実装される。収納筐体１１２の後方開口部１１４側の上片１２０と下片１２１とには蓋取付用の係合孔１２２；１２３；１２３が形成される。蓋体１１３の上部と下部とには収納筐体１１２の係合孔１２２；１２３；１２３に係合する係合体１２４；１２５；１２５が設けられる。蓋体１１３の上部に設けられた係合体１２４は、蓋体１１３より前側に延長する延長部１２６と延長部１２６より上に折り返されて後方に延長する折り返し部１２７とを備える。折り返し部１２７の上面には上方に突出する係合片１２８が設けられる。蓋体１１３の下部の中央には配線１０２を通す配線孔１２９が形成される。蓋体１１３の下部の係合体１２５；１２５が係合体１２５の下端から収納筐体１１２の下片１２１の係合孔１２３；１２３に収納筐体１１２の内側から挿入され、係合孔１２３；１２３に挿入された係合体１２５；１２５を支点として蓋体１１３の上部が収納筐体１１２の上面の方向に回転され、蓋体１１３の上部に設けられた係合体１２４の折り返し部１２７が延長部１２６の方向に押圧されることによって、折り返し部１２７が下方に撓み、係合片１２８が後方開口縁１３０から上片１２０の下面を移動して、蓋体１１３が前側に移動することによって、係合片１２８が係合孔１２２の位置にくると係合体１２４の弾性で係合片１２８が上方に移動し、係合片１２８が係合孔１２２の下側から上側に移動して係合孔１２２にはまり込むことで、蓋体１１３が収納筐体１１２の後方開口部１１４に取り付けられる。蓋体１１３が収納筐体１１２の後方開口部１１４に取り付けられた状態において、演出制御基板５３の裏面に実装された筐コネクタ８９と台コネクタ９０とが筐接続孔１１０及び台接続孔１１１を経由して接続される。
【００２０】
図４に示すように、台係合部８７は、球案内体４５の裏面６９においての一側部としての表示孔７０の右側部の上下に設けられる。上の台係合部８７ａは、球案内体４５の裏面６９と平行に対向する対向面としての前後規制面１３１と、前後規制面の右側部と裏面６９とを連結する連結部としての左右規制片１３２と、前後規制面１３１の上側部と裏面６９とを連結する連結部としての上下規制片１３３とを備える。下の台係合部８７ｂは、球案内体４５の裏面６９と平行に対向する対向面としての前後規制面１３４と、前後規制面１３４の右側部と裏面６９とを連結する連結部としての左右規制片１３５と、前後規制面１３４の下側部と裏面６９とを連結する連結部としての上下規制片１３６とを備える。
【００２１】
図３に示すように、筐係合部８５は、演出回路筐体５１の前面５１ａの一側部としての右縁部の上下に設けられる。図１に示すように、上の筐係合部８５ａは、演出回路筐体５１の前面５１ａより上方に延長して、演出回路筐体５１の前面と同一平面あるいは平行に位置する取付面１３８と、取付面１３８の左端より裏側に延長する延長面１３９と、延長面１３９の後端より右側後方向に延長する回転規制面１４０と、取付面１３８と回転規制面１４０との右端同士を互いに連結する湾曲面１４１と、取付面１３８、延長面１３９、回転規制面１４０、湾曲面１４１の上端同士を連結する上面１４２とを備える。図３に示すように、下の筐係合部８５ｂと上の筐係合部８５ａとは、突出する方向が上下逆である以外は、同じ大きさ、同じ形状である。
【００２２】
図４に示すように、台固定部８８は、球案内体４５の裏面６９においての他側部としての表示孔７０の左側部の上下に設けられる。球案内体４５の裏面６９において球案内体４５の表示孔７０の下縁部の下方に演出回路筐体５１の下面を支持する筐体支持部８８ａが形成される。
【００２３】
図５に示すように、筐固定部８６は、演出回路筐体５１の前面５１ａの他側部としての左縁部の上下に設けられる。上の筐固定部８６ａと下の筐固定部８６ｂとは、互いに上下対象な形である。
【００２４】
図６を参照し、筐固定部８６及び台固定部８８の構造について説明する。図６のｂ図に示すように、筐固定部８６は、係合具１５０と操作具１５１と保持具１４９とを備える。図６のａ図に示すように、係合具１５０は、前後方向に貫通する中心孔１５２を有する円筒本体１５３の一端部に受部１５４を備え、円筒本体１５３の他端部に掛止部１５５を備える。受部１５４は円筒本体１５３の一端部より軸心方向の一方の外側に開口する皿状である。受部１５４と掛止部１５５との間における円筒本体１５３の外周面は、受部１５４の外径と掛止部１５５の外径との双方よりも細い、くびれ部１５６として形成される。掛止部１５５は、割溝１５７によって、周方向に独立した複数の片持ち梁のような弾性片として形成される。割溝１５７は、掛止部１５５の他端部とくびれ部１５６との間を、軸心方向と直径方向とに切り欠かれる。掛止部１５５を構成する各弾性片の中心孔１５２を囲む内面には、突起１５８が、軸心方向に向けて突出する。操作具１５１は、棒本体１６０の一端部に鍔１６１とくびれ部１６２と摘み１６３とを備え、棒本体１６０の他端部に係合溝１６４を備える。棒本体１６０は、受部１５４の方向から中心孔１５２に挿入されるとともに、中心孔１５２に挿入された場合に突起１５８を中心孔１５２の径方向外側に押して掛止部１５５を押し広げる、太さである。鍔１６１は、棒本体１６０の外径よりも大きな外径であって、受部１５４における周壁で囲まれた内部に取り込まれる大きさである。くびれ部１６２は、鍔１６１から同軸状に突出し、鍔１６１と摘み１６３との双方よりも細い。摘み１６３は、くびれ部１６２と鍔１６１との双方よりも太い円盤形状である。係合具１５０のくびれ部１５６が、演出回路筐体５１に設けられた保持具１４９の取付孔１７０に嵌め込まれることによって、受部１５４と掛止部１５５とが、取付孔１７０の周囲における保持具１４９を挟む格好となり、係合具１５０が、保持具１４９に取り付けられる。保持具１４９は前面開口の筒体１６９の底面である後壁に取付孔１７０が形成されたものである。台固定部８８は、裏側に開口した前後に延長する筒状の取付孔１７１を備える。図６のｂ図のように、操作具１５１の棒本体１６０が、係合具１５０の受部１５４の方向から中心孔１５２に挿入されることによって、係合溝１６４が、突起１５８に嵌め込まれた格好となり、操作具１５１が、係合具１５０に取り付けられる。
【００２５】
図６のｃ図を参照し、筐固定部８６が台固定部８８に取り付けられる構造について説明する。保持具１４９の筒体１６９を台固定部８８の外側にかぶせ、係合具１５０の掛止部１５５を台固定部８８の取付孔１７１内に入れた状態で、人が、操作具１５１の摘み１６３を矢印Ｘ１で示す方向に押すことによって、上記突起１５８と係合溝１６４との嵌まり合いが解除され、棒本体１６０が中心孔１５２の内部を奥に進入する。これに伴い、棒本体１６０の外周面が、突起１５８を中心孔１５２の径方向外側に押して、掛止部１５５を押し広げる。この中心孔１５２の径方向外側に押し広げられた掛止部１５５が、取付孔１７１を径方向外側に突っ張るように、取付孔１７１に接触する。これによって、筐固定部８６が台固定部８８の取付孔１７１に押し込まれた形態となり、筐固定部８６と台固定部８８とが互いに取り付けられる。
【００２６】
このように筐固定部８６と台固定部８８とが互いに取り付けられた状態において、人が、操作具１５１の摘み１６３を矢印Ｘ２で示す方向に引くことによって、棒本体１６０が中心孔１５２の奥から手前に後退する。これに伴い、棒本体１６０の外周面による突起１５８に対する中心孔１５２の径方向外側への押し力が弱くなり、掛止部１５５が自身の弾性によって径方向内側に復帰し、突起１５８が係合溝１６４に嵌まり込み、掛止部１５５が取付孔１７１から離れ、図６のｂ図の状態になる。これによって、筐固定部８６と台固定部８８との係合が解除された形態となり、人が筐固定部８６を台固定部８８から離れる方向に移動すると、台固定部８８から筐固定部８６が取り外される。
【００２７】
図７を参照し、演出制御ユニット５０の筐コネクタ８９と接続される台コネクタ９０の取付構造を説明する。球案内体４５に設けられた台接続孔１１１の上縁の上に位置する基盤６５の前面６８と台接続孔１１１の下縁の下に位置する基盤６５の前面６８とには上下一対で設けられた支柱を１７５；１７５を備える。一方、電飾集合中継基板７２には、支柱１７５；１７５を電飾集合中継基板７２の裏面から電飾集合中継基板７２の前面に貫通させる上下一対の貫通孔１７６；１７６が設けられる。よって、電飾集合中継基板７２の裏面を基盤６５の前面６８に向け、台コネクタ９０を台接続孔１１１経由で球案内体４５の裏側に突出させるとともに支柱１７５；１７５の前端を電飾集合中継基板７２の裏側から貫通孔１７６；１７６に通して電飾集合中継基板７２の前側に突出させた状態において、支柱１７５；１７５の前端に押え板１７７を設けて、止ねじ１７８が押え板１７７の貫通孔１７９；１７９を貫通して支柱１７５の前部に締結されることで、電飾集合中継基板７２が支柱１７５；１７５に取り付けられる。電飾集合中継基板７２の貫通孔１７６の径は支柱１７５の径より大きく、台接続孔１１１の径は台コネクタ９０の径より大きく、支柱１７５の台座１８０と支柱１７５に締結された押え板１７７との間の長さａは、電飾集合中継基板７２の板の厚さｂより大きい。従って、台コネクタ９０が台接続孔１１１より基盤６５の裏側に突出した状態で、電飾集合中継基板７２が、球案内体４５の基盤６５の前面６８と直交する方向Ｘ（支柱１７５の中心線ａに沿った方向）及び基盤６５の前面６８に沿う方向Ｙ（支柱１７５の中心線ａと直交する方向）に移動可動な状態に取り付けられる。これにより、演出制御ユニット５０の演出制御基板５３に設けられた筐コネクタ８９と電飾集合中継基板７２に設けられた台コネクタ９０とのコネクタ同士による接続作業の際の筐コネクタ８９と台コネクタ９０との位置合わせを容易とできるとともに、演出制御ユニット５０から筐コネクタ８９及び台コネクタ９０への応力集中を防止でき、筐コネクタ８９及び台コネクタ９０の損傷、接触不良などを防止できる。
【００２８】
図２を参照し、球案内体の裏面に回路筐体を取り付ける方法を説明する。ａ図、ｂ図のように、演出回路筐体５１の前面５１ａを球案内体４５の裏面６９に対して斜めに向かい合わせて筐係合部８５と台係合部８７とが係合され、演出回路筐体５１が筐係合部８５と台係合部８７との係合を中心として裏面６９に向かう方向に回転されるのに伴い、ｃ図のように、筐コネクタ８９と台コネクタ９０とが互いに接続され、筐コネクタ８９の電気接続子８９ａと台コネクタ９０の電気接続端子９０ａとが互いに電気的に接続され（図１参照）、筐固定部８６が台固定部８８の裏側から前側に押し込まれるように押圧されることで台固定部８８に結合され、演出表示制御ユニット５０が球案内体４５の裏面６９に取り付けられることによって、演出表示制御ユニット５０の球案内体４５の裏面６９への取付け作業が容易となる。
【００２９】
図２のａ図、ｂ図のように、筐係合部８５の取付面１３８と回転規制面１４０とのなす角度αと筐係合部８５の台係合部８７への挿入の際の取付面１３８と球案内体４５の裏面６９とのなす角度β（挿入角度）とは互いに錯角となる。また、図２のｂ図の状態、即ち、挿入の際の筐係合部８５の最大前後幅Ｘと、図２のｃ図の状態、即ち、台係合部８７に取付けられた際の筐係合部８５の最大前後幅Ｙとの関係は、Ｙ＞Ｘである。幅Ｘは、球案内体４５の裏面６９と台係合部８７の前後規制面１３１；１３４との間の距離Ｚより小さく、幅Ｙは距離Ｚより大きい。つまり、筐係合部８５の台係合部８７への挿入の際には、球案内体４５の裏面６９と取付面１３８とのなす角を挿入角βに設定して回転規制面１４０と台係合部８７の前後規制面１３１；１３４の内面とを互いに接触させた状態で回転規制面１４０を前後規制面１３１；１３４の内面で滑らせる。これにより、筐係合部８５の台係合部８７への挿入作業が容易となる。そして、湾曲面１４１と左右規制片１３２；１３５とが衝突したら、筐係合部８５と台係合部８７との係合を中心として演出制御ユニット５０を球案内体４５の裏面６９の方向に回転させることによって、Ｙ＞Ｚ＞Ｘであるので、筐係合部８５が台係合部８７の前後規制面１３１；１３４を球案内体４５の裏側方向に押圧した状態で球案内体４５の裏面６９と台係合部８７の前後規制面１３１；１３４との間に嵌合され、演出制御ユニット５０が球案内体４５の裏面６９にがたつきなく取り付けられる。つまり、筐係合部８５の形状を、Ｙ＞Ｚ＞Ｘに設定する湾曲面１４１を備えた涙形状にすることで筐係合部８５の台係合部８７への挿入作業を容易にでき、かつ、筐係合部８５を球案内体４５の裏面６９と台係合部８７の前後規制面１３１;１３４との間に嵌合でき、球案内体４５の裏面６９に演出制御ユニット５０をがたつきなく取り付けることがきる。また、演出制御ユニット５０の取り外しの際には、図２のａないしｃ図の操作を逆に行う。この場合、筐固定部８６と台固定部８８との結合が解除されて、演出回路筐体５１が筐係合部８５と台係合部８７との係合を中心として裏面６９から離れる方向に回転された場合に、回転規制面１４０が台係合部８７の前後規制面１３１；１３４の内面と衝突することによって、取付面１３８と球案内体４５の裏面６９とのなす角度βが９０度以上にならないように規制されるので、演出表示制御ユニット５０の取り外しの際の不意な脱落を防止できる。また、筐体支持部８８ａにより、演出表示制御ユニット５０を支持するので、筐固定部８６と台固定部８８との結合部にかかる荷重を小さくできて、演出表示制御ユニット５０の傾きを防止できる。
【００３０】
パチンコ機は、図外の電源スイッチの投入により、電源装置２００から図外の電力供給配線を経由して、発射払出制御装置２０１、主制御装置５９、演出制御ユニット５０、その他の電気部品に電力が供給される。即ち、島と呼ばれる遊技機設置構造体の電源設備からの商用電源を図外の電源コネクタを経由して電源装置２００に入力し、電源装置がパチンコ機に搭載された電気部品の駆動に必要な複数の電力を生成して電気部品に供給する。主制御基板６１が電源スイッチのオン動作に伴う電力供給で起動し、球が球皿３１に入っている状態において、遊技者が発射操作機構３２を操作すると、発射払出制御基板２０１が発射機構２４を発射操作機構３２から出力された操作量に応じた発射力で例えば１分間に１か１００発未満までの所定数の間隔で駆動し、発射機構２４が球を１個ずつ遊技盤４０の発射通路４４に向けて発射する。発射通路４４に発射された球が、発射通路４４から遊技領域４１に入り遊技領域４１を流下する過程において、いずれかの入賞部品に入賞したならば、その入賞部品の球検出器から入賞検出信号が主制御基板６１に出力される。
【００３１】
図８を参照し、パチンコ機の制御系統を説明する。入力機器１８１である球検出器からの入力信号が配線９２；９３；９４；９６；９７、左中継基板８０、右中継基板８１、配線９１；９５、主制御中継基板５８を経由して主制御基板６１に出力されると、主制御基板６１は配線１０２を経由して演出制御基板５３に演出制御指示信号を出力する。演出制御基板５３は演出制御指示信号を入力した場合に、出力機器１８２である表示装置５２や複数の電飾基板５５の光源７８や遊技機枠１Ａに設けられた図外のスピーカやランプのような枠側電気部品を制御する。即ち、演出制御基板５３は、表示装置５２の表示パネル制御基板４７に表示の制御信号を出力したり、筐コネクタ８９及び台コネクタ９０を経由して複数の電飾基板５５に光源７８の制御信号を出力したり、電飾集合中継基板７２及び枠コネクタを経由して枠側電気部品に制御信号を出力する。また、主制御基板６１に記憶されたパチンコ機の情報は盤用外部中継基板８２経由で図外のホールコンピュータに送信される。
【産業上の利用可能性】
【００３２】
取付面１３８は、演出回路筐体５１の前面５１ａ側において前面５１ａと平行に設けられていれば良い。上述したように、筐係合部８５の台係合部８７への挿入作業の容易化及び演出制御ユニット５０をがたつきなく取り付けることができるという両方の効果を効果的に得ることはできないが、筐係合部８５の前後幅と台係合部８７の前後幅とを同じにしておいて、筐係合部８５と台係合部８７とを係合し、この係合を中心として演出制御ユニット５０を回転させることによって、球案内体４５の裏面６９に演出制御ユニット５０を取り付けるようにしても良い。電飾集合中継基板７２を球案内体４５の裏面６９に取り付けても良く、この場合、台接続孔１１１は不要となる。
【図面の簡単な説明】
【００３３】
【図１】回路筐体取付装置を示す断面図（最良の形態）。
【図２】球案内体への演出回路筐体の取付方法を示す図（最良の形態）。
【図３】演出回路筐体の外観を示す斜視図（最良の形態）。
【図４】球案内体の裏面に設けられた台係合部及び台固定部の配置を示す図（最良の形態）。
【図５】演出回路筐体及び演出回路筐体内に収納される部品を示す分解斜視図（最良の形態）。
【図６】筐固定部及び台固定部の構造と作用を示す図（最良の形態）。
【図７】電飾集合中継基板の球案内体への取付構造を示す断面図（最良の形態）。
【図８】パチンコ機の制御系統を示す図（最良の形態）。
【図９】パチンコ機の遊技機枠と遊技盤とを分離して示す斜視図（最良の形態）。
【図１０】遊技盤の裏面に取り付けられる部品の分解斜視図（最良の形態）。
【図１１】球案内体に取り付けられる部品を分解して示す斜視図（最良の形態）。
【符号の説明】
【００３４】
１  回路筐体取付装置、４０  遊技盤、４５  球案内体（取付台）、
５１  演出回路筐体（回路筐体）、５１ａ  演出回路筐体の前面、
５３  演出制御基板（筐回路基板）５３ｘ  電気部品、
７２  電飾集合中継基板（台回路基板）、８５  筐係合部、８６  筐固定部、
８７  台係合部、８８  台固定部、８９  筐コネクタ、９０  台コネクタ、
１１０  筐接続孔、１１１  台接続孔、１３１；１３４  前後規制面（対向面）、
１３２；１３５  左右規制面（連結部）、１３８  取付面、１４０  回転規制面、
１７６  貫通孔、１７５  支柱、１７７  押え板。
【図１】
0004652142.tif 000002
【図２】
0004652142.tif 000003
【図３】
0004652142.tif 000004
【図４】
0004652142.tif 000005
【図７】
0004652142.tif 000006
【図８】
0004652142.tif 000007
【図９】
0004652142.tif 000008
【図１０】
0004652142.tif 000009
【図５】
0004652142.tif 000010
【図６】
0004652142.tif 000011
【図１１】
0004652142.tif 000012